(57)【特許請求の範囲】
【請求項１】
演算ユニットと、この演算ユニットに演算データを入力する入力ユニットと、前記演算データを表示する表示ユニットと、前記演算データを記憶するフロッピーディスクユニットを備え、前記演算ユニットと前記フロッピーディスクユニット相互間で信号レベルの確定していない複数の単方向信号の信号伝送が行われるコンピュータ装置において、
前記演算ユニットおよび前記フロッピーディスクユニットにそれぞれ個々に接続され、これらから出力する前記信号レベルの確定していない複数の単方向電気信号の信号レベルを確定する二つの信号レベル確定回路と、
前記各信号レベル確定回路に個々に接続された二つのフォトカプラ絶縁回路と、
二つの前記フォトカプラ絶縁回路を互いに接続する絶縁信号ケーブルとを備え、
前記フォトカプラ絶縁回路は、
信号レベル確定回路または前記絶縁信号ケーブルから入力される単方向電気信号を光信号に一旦変換したのちに単方向電気信号に戻して出力するよう構成されていることを特徴とするコンピュータ装置。
【請求項２】
信号入力側が演算ユニットまたはフロッピーディスクユニットに接続された二つの信号レベル確定回路の各々の信号出力側に、パラレル・シリアル変換回路をそれぞれ介挿接続し、
前記パラレル・シリアル変換回路は、
前記信号レベル確定回路から入力される複数の単方向信号を１個の単方向信号に変換して出力するとともに、フォトカプラ絶縁回路から入力される１個の単方向信号を複数の単方向信号に復元する機能を有している請求項１に記載のコンピュータ装置。
【発明の詳細な説明】
【０００１】
【産業上の利用分野】
本発明は、演算ユニットと、演算データを入力する入力ユニット、演算データを表示する表示ユニットおよび演算データを記憶するフロッピーディスクユニットとに分離して、これらを互いに離間した場所に配置した構成で使用する場合に特に適したコンピュータ装置に関するものである。
【０００２】
【従来の技術】
一般に、コンピュータ装置は、図９に示すように、演算ユニット１と、この演算ユニット１に演算データを入力する入力ユニット２と、演算ユニット１の演算データを表示する表示ユニット３と、演算データを記憶するフロッピーディスクユニット（以下、ＦＤＤユニットと略す）４とを備えた基本的構成を有している。また、ＦＤＤユニット４には通常図示のように２台のフロッピーディスクドライブ７，７を備えており、これらフロッピーディスクドライブ７，７の各々のフロッピーディスク制御回路（以下、ＦＤＤ制御回路と略す）８，８は、２組の信号を１組の信号として伝送するためにワイヤードＯＲ接続に出力結合されて、演算ユニット１のフロッピーディスク制御回路（以下、ＦＤＤ制御回路と略す）９に接続されている。演算ユニット１とＦＤＤユニット４との間は、単方向ＴＴＬレベル信号のｎ数およびｍ数の伝送ライン（図にｎ，ｍで表示）で接続されている。
【０００３】
この複数の単方向ＴＴＬレベル信号の信号伝送に際しては、上記ワイヤードＯＲ接続により２組の信号を１組の信号として伝送するために、演算ユニット１とＦＤＤユニット４との相互間において、送信側からのＴＴＬレベル信号をオープンコレクタ形のゲードＩＣからなる出力回路１０を介して伝送ラインに出力するとともに、ＴＴＬレベル信号のハイレベル側信号レベルをプルアップ抵抗回路１１により所定レベルとしたのちに受信側に入力される。したがって、演算ユニット１とＦＤＤユニット４との間の伝送路では、それらの一方からの出力ディジタル信号におけるハイレベル側信号レベルが、これがオープンコレクタ出力であることから確定されず、この信号レベルが未確定な複数の単方向ＴＴＬレベル信号からなる制御信号が演算ユニット１とＦＤＤユニット４との間で送受されている。
【０００４】
【発明が解決しようとする課題】
このようなコンピュータ装置では、演算ユニット１およびＦＤＤユニット４などの各種構成用ユニットを集合的な配置で構成する場合には上述のように演算ユニット１またはＦＤＤユニット４のうちの送信側からの出力ディジタル信号におけるハイレベル側信号レベルが確定されていなくても、プルアップ抵抗回路１１により所定の信号レベルとして受信側に入力することにより、何ら支障が生じない。
【０００５】
ところが、上記のような構成のコンピュータ装置を生産設備等の制御用の装置として利用する場合には、演算ユニット１とこれ以外のＦＤＤユニット４などとを数メートル以上離れた設置場所にそれぞれ設置しなければならないことが多い。例えば、演算ユニット１を内蔵したコンピュータ装置本体は可及的に環境の良い場所に設置するのが好ましく、一方、入力操作などを行うための入力ユニット２やＦＤＤユニット４などは、生産設備に携わる作業員が迅速、且つ容易に操作などを行うのに便利で作業性の良い場所に設置するのが好ましい。そのため、演算ユニット１とこれ以外のＦＤＤユニット４などとは、比較的離間した設置場所にやむをえず配置しなければならないことがある。
【０００６】
このように演算ユニット１とＦＤＤユニット４とを互いに離間して設置する場合、これらの間で送受される制御信号は、ハイレベル側信号レベルが確定していない複数の単方向ＴＴＬレベル信号であることから、伝送路の長さに応じて信号強度が減衰して信号レベルが低下し、ノイズの影響を受け易い。そのため、制御信号に周辺機器からのノイズが混入した場合には誤動作が発生したり、逆に制御信号が周辺機器に対して電磁障害を与えるおそれもある。
【０００７】
そこで、本発明は、従来の問題点を解消し、演算ユニットとＦＤＤユニットとを離間した場所に設置した場合においても、ノイズ混入による誤動作や周辺機器に対する障害発生などを確実に防止して制御信号を伝送できるコンピュータ装置を提供することを目的とするものである。
【００１３】
この発明は、演算ユニットと、この演算ユニットに演算データを入力する入力ユニットと、前記演算データを表示する表示ユニットと、前記演算データを記憶するフロッピーディスクユニットを備え、前記演算ユニットと前記フロッピーディスクユニット相互間で信号レベルの確定していない複数の単方向信号の信号伝送が行われるコンピュータ装置において、前記演算ユニットおよび前記フロッピーディスクユニットにそれぞれ個々に接続され、これらから出力する前記信号レベルの確定していない複数の単方向電気信号の信号レベルを確定する二つの信号レベル確定回路と、前記各信号レベル確定回路に個々に接続された二つのフォトカプラ絶縁回路と、二つの前記フォトカプラ絶縁回路を互いに接続する絶縁信号ケーブルとを備え、前記各フォトカプラ絶縁回路は、前記信号レベル確定回路または前記絶縁信号ケーブルから入力される複数の単方向電気信号を光信号に一旦変換したのちに単方向電気信号に戻して出力する機能を有している。
【００１４】
このコンピュータ装置では、演算ユニットとＦＤＤユニット相互間で伝送される信号レベルの確定していない複数の単方向電気信号が、演算ユニットとＦＤＤユニットのうちの送信側において、信号レベル確定回路により信号レベルの確定した複数の単方向電気信号に変換されたのちに、フォトカプラ絶縁回路により一旦光信号に変換して、絶縁信号ケーブルで伝送される。この光信号は受信側のフォトカプラ絶縁回路により複数の単方向電気信号に戻されたのちに、受信側のＦＤＤユニットまたは演算ユニットに入力され、演算ユニットとＦＤＤユニットとの間で支障なく信号伝送される。
【００１７】
このコンピュータ装置では、フォトカプラ絶縁回路において単方向信号を一旦光信号に変化したのちに電気信号に戻していることにより、信号伝送路である絶縁信号ケーブルを電気的に絶縁している。したがって、伝送路の電気的絶縁によるノイズ除去の効果に加えて、絶縁信号ケーブルによるカレントループ伝送によって線路抵抗やノイズの影響を受け難い利点がある。
【００１８】
上記発明において、信号入力側が演算ユニットまたはフロッピーディスクユニットに接続された二つの信号レベル確定回路の各々の信号出力側に、パラレル・シリアル変換回路をそれぞれ介挿接続し、前記パラレル・シリアル変換回路が、前記信号レベル確定回路から入力される複数の単方向信号を１個の単方向信号に変換して出力するとともに、フォトカプラ絶縁回路から入力される１個の単方向信号を複数の単方向信号に復元する機能を有している構成とすることが好ましい。
【００１９】
これにより、信号レベルの確定していない複数の単方向信号を信号レベル確定回路により信号レベルの確定した複数の単方向信号に変換したのちに、パラレル・シリアル変換回路によって１個の単方向信号に変換し、この１個の単方向信号を１個の単方向電気信号に変換して伝送し、この１個の信号を受信側のパラレル・シリアル変換回路により複数の単方向信号に復元する。したがって、上記の発明と同様の効果を得られるのに加えて、伝送路を一組の送信信号伝送回路と受信信号伝送回路で構成することができ、安価なコンピュータ制御を実施することができる。
【００２０】
【発明の実施の形態】
以下、本発明の好ましい実施の形態について詳細に説明する。図１は、本発明に関連する第１の参考例に係るコンピュータ装置を示すブロック構成図であり、同図において、図９と同一若しくは同等のものには同一の符号を付してその説明を省略する。この参考例に係るコンピュータ装置は、従来装置と同様の演算ユニット１、入力ユニット２、表示ユニット３およびＦＤＤユニット４とを備えており、それに加えて、演算ユニット１とＦＤＤユニット４との双方からそれぞれ出力される信号レベルの確定していない複数の単方向ＴＴＬレベル信号の信号レベルを個々に確定する二つの信号レベル確定回路１２，１３と、この各信号レベル確定回路１２，１３から各々出力される信号レベルの確定した複数の単方向ＴＴＬレベル信号を個々に耐環境性能に優れた平衡信号に変換する二つの平衡信号変換回路１４，１７と、この両平衡信号変換回路１４，１７を電気的に接続して平衡信号を伝送する平衡信号伝送路１８とを備えて構成されている。
【００２１】
図２は同上装置における信号レベル確定回路１２，１３の内部回路構成を示すブロック図であり、同図において、図９と同一若しくは同等のものには同一の符号を付してその説明を省略する。信号レベル確定回路１２，１３は、共に同一構成であって、プルアップ抵抗回路１９と、ＩＣからなるＴＴＬレベル信号出力回路２０を備えて構成されている。また、演算ユニット１のＦＤＤ制御回路９およびＦＤＤユニット４を構成する２台のフロッピーディスクドライブ７，７の各々のＦＤＤ制御回路８，８は、いずれもＬＳＩにより構成されて、入出力データ、複数の制御コマンド信号および複数の制御ステータス信号により入出力制御を行う。
【００２２】
先ず、演算ユニット１とＦＤＤユニット４相互間の信号伝送の概略について説明する。演算ユニット１からＦＤＤユニット４に記憶データを書き込む場合には、演算ユニット１のＦＤＤ制御回路９からオープンコレクタ仕様の出力回路１０を通して出力データや複数の制御コマンド信号が出力されて、ＦＤＤユニット４のＦＤＤ制御回路８，８に入力される。その際に、演算ユニット１からの出力ディジタル信号は、ハイレベル側信号レベルの確定していないオープンコレクタ出力信号であるが、演算ユニット１側の信号レベル確定回路１２におけるプルアップ抵抗回路１９により、ハイレベル側信号レベルを例えば＋５Ｖに確定した信号に変換され、さらに、この信号がＴＴＬレベル信号出力回路２０を通じて出力されることにより、ハイレベル側信号レベルとローレベル側信号レベルとが共に確定した信号に変換される。
【００２３】
逆に、ＦＤＤユニット４から演算ユニット１に記憶データを読み込む場合は、ＦＤＤユニット４における演算ユニット１からの選択信号により選択された何れか一方のフロッピーディスクドライブ７のＦＤＤ制御回路８からオープンコレクタ仕様の出力回路１０を通して入力データや複数の制御ステータス信号が出力され、演算ユニット１のＦＤＤ制御回路９に入力される。ＦＤＤユニット４からの出力デジタル信号は、二つのＦＤＤ制御回路８，８からの２本の出力信号をワイヤードＯＲ接続にして１本の信号にして送信するため、ハイレベル側信号レベルの確定していないオープンコレクタ出力信号であるが、ＦＤＤユニット４側の信号レベル確定回路１３におけるプルアップ抵抗回路１９により、ハイレベル側信号を例えば＋５Ｖに確定した信号に変換され、さらに、この信号がＴＴＬレベル信号出力回路２０を通して出力されることにより、ハイレベル側信号レベルとローレベル側信号レベルとが共に確定した信号に変換される。
【００２４】
なお、演算ユニット１からの出力ディジタル信号やＦＤＤユニット４からの出力ディジタル信号は複数であるため、図２に図示していないが、各信号レベル確定回路１２，１３には、プルアップ抵抗回路１９およびＴＴＬ信号出力回路２０がそれぞれ出力ディジタル信号の数だけ設けられている。
【００２５】
つぎに、上記の平衡信号変換回路１４、１７について説明する。平衡信号は、周知のように一つの信号を二つの信号に変換したものであり、例えば、＋５Ｖの信号を、差が＋５Ｖとなる二つの信号、つまり＋５Ｖと０Ｖとの二つの信号に変換したものである。上記平衡信号変換回路１４、１７は、信号レベル確定回路１２、１３から出力される信号レベルの確定したＴＴＬレベル信号を平衡信号に変換して、平衡信号伝送路１８を通じて相手側の平衡信号変換回路１７，１４にそれぞれ出力するとともに、相手側の平衡信号変換回路１７，１４から入力された平衡信号をＴＴＬレベル信号に変換してＦＤＤユニット４または演算ユニット１に対し出力するものである。
【００２６】
図３は上記平衡信号変換回路１４の内部回路構成を示すブロック図であり、この参考例では、平衡型デジタル電圧インターフェースとして規格化されたＲＳ４２２信号を平衡信号として用いて伝送を行う構成を例示してあり、それにより、平衡信号伝送路１８としてはＲＳ４２２信号伝送路が用いられている。ＲＳ４２２信号変換回路である平衡信号変換回路１４，１７は、ラインドライバ回路２１とラインレシーバ回路２２とを備えて構成されている。各信号レベル確定回路１２、１３で信号レベルを確定された複数の単方向ＴＴＬレベル信号は、送信側の平衡信号変換回路１４または１７におけるラインドライバ回路２１により平衡信号（ＲＳ４２２信号）に変換され、ＲＳ４２２信号伝送路である平衡信号伝送路１８により伝送されて受信側の平衡信号変換回路１７または１４のラインレシーバ回路２２に入力される。このラインレシーバ回路２２で平衡信号から単方向ＴＴＬレベル信号に変換された受信信号は、ＦＤＤユニット４または演算ユニット１に入力される。
【００２７】
また、この参考例では、図３に示すように、平衡信号伝送路１８を平衡度の高い二つのツイストペア線２３を用いて構成している。このツイストペア線２３は、２本のケーブル線を縒り合わせたもので、各ケーブル線にそれぞれ混入したノイズを互いに打ち消すように作用するから、平衡信号による伝送と相まってさらにノイズに強い信号伝送を行うことができる。
【００２８】
上記参考例のコンピュータ装置は、生産設備内で演算ユニット１とＦＤＤユニット４とを離間した場所に設置した場合、演算ユニット１またはＦＤＤユニット４から出力されるハイレベル側信号レベルの確定されていない複数の単方向ＴＴＬレベル信号を信号レベル確定回路１２または１３により信号レベルの確定した信号とするので、伝送路１８が長くなっても信号強度の減衰が殆どないことから、周辺機器からのノイズによる影響を受け難いとともに、周辺機器に対し電磁障害を与え難い。
【００２９】
しかも、上記コンピュータ装置は、信号レベルの確定した信号を一組の平衡信号に変換したのちに平衡信号伝送路１８を通じて伝送し、且つ平衡信号に戻して受信側に入力させるので、例えノイズが混入したとしても、平衡信号を元のＴＴＬレベル信号に戻すときにノイズの影響を除去できる。例えば、＋５Ｖの信号を＋５Ｖと０Ｖの二つの信号からなる平衡信号に変換した場合、ノイズの混入により＋７Ｖと＋２Ｖに変化しても、ＴＴＬレベル信号に戻すに際して上記二つの信号の差をとると、＋５Ｖとなってノイズが除去される。このように、このコンピュータ装置は、生産設備内で演算ユニット１とＦＤＤユニット４とを遠隔地点に設置して平衡信号伝送路１８が長くなったような場合でも、周辺機器からのノイズによる影響を受け難く、且つ周辺機器に電磁障害を与え難いので、常に正常な動作を確保できる。
【００３０】
また、このコンピュータ装置は、平衡信号変換回路１４，１７を平衡型デジタル電圧インターフェースとして規格化されたＲＳ４２２に基づき平衡信号に変換して伝送する構成になっているので、安価な構成により適切な平衡信号に変換することができる。
【００３１】
図４は、本発明に関する第２の参考例に係るコンピュータ装置を示すブロック図であり、同図において、図１と同一若しくは同等のものには同一の符号を付してその説明を省略し、つぎに、相違する構成についてのみ説明する。すなわち、このコンピュータ装置では、演算ユニット１側及びＦＤＤユニット４側にそれぞれ設けられた信号レベル確定回路１２，１３によって変換された信号レベルの確定された単方向ＴＴＬレベル信号を、それぞれ光信号変換回路２４，２４によって光信号に変換し、光ケーブル２７により相互に信号伝送できるように構成されている。
【００３２】
前記光信号変換回路２４は、図５に示すように、電気信号−光信号変換回路２８と、光信号−電気信号変換回路２９とを備えて構成されている。演算ユニット１またはＦＤＤユニット４から送信されたＴＴＬレベル信号は、送信側の光信号変換回路２４における電気信号−光信号変換回路２８において、バッファＩＣ２８ａにより増幅されたのちに発光ダイオード２８ｂにより光信号に変換されて光ケーブル２７で受信側の光信号変換回路２４における光信号−電気信号変換回路２９に伝送される。この受信側の光信号−電気信号変換回路２９では、光信号をフォトダイオード２９ａにより電気信号に変換したのちにバッフアＩＣ２９ｂで増幅して、ＦＤＤユニット４または演算ユニット１に対し出力する。
【００３３】
このコンピュータ装置では、光信号が周知のように電磁ノイズの影響を受けないことから、不要輻射を発生させることなく有効に信号伝送を行えるのに加えて、光ケーブル２７からなる信号伝送経路を電気的に絶縁できることから、コモンモードノイズを除去することができる。そのため、コンピュータ装置をノイズ発生源の多い生産設備などの制御用の装置に用いる場合において、演算ユニット１とＦＤＤユニット４とを遠隔地点に設置したような状態でも、周辺機器からのノイズを受け難く、逆に周辺機器に電磁障害を与えることがない。
【００３４】
また、上記第２の参考例における信号伝送路を光信号により電気的絶縁する構成は、図６に示すような構成に置換することができる。すなわち、本発明の第１の実施の形態を示す図６は、図５の光信号変換回路２４，２４および光ケーブル２７からなる構成に代えて、演算ユニット１側とＦＤＤユニット４側とにそれぞれフォトカプラ絶縁回路３０，３１を設けるとともに、この二つのフォトカプラ絶縁回路３０，３１の間を、２対のツイストペアケーブル線３３からなる絶縁信号ケーブル３２で接続した構成を設けたものである。
【００３５】
このコンピュータ装置では、演算ユニット１またはＦＤＤユニット４から信号レベル確定回路１２または１３を介して送信されたＴＴＬレベル単方向信号を、送信側のフォトカプラ絶縁回路３０または３１における送信側フォトカプラ３４により光信号に一旦変換したのちに電気信号に戻して、絶縁信号ケーブル３２により伝送し、受信側のフォトカプラ絶縁回路３１または３０における受信側フォトカプラ３７により光信号に一旦変換したのちに電気信号に戻してＦＤＤユニット４または演算ユニット１に入力する。したがって、送信側および受信側のそれぞれにおいて電気信号を光信号に変換しているから、電気信号で伝送しながらも信号伝送路を電気的に絶縁できる。この構成では、信号伝送経路を電気的に絶縁することによるノイズ除去の他に、２本のツイストペアケーブル線３３，３３により形成されるループを用いた電流による信号伝送であるカレントループ伝送により、線路抵抗やノイズの影響をより一層受け難い利点を有している。
【００３６】
図７は、本発明の第２の実施の形態に係るコンピュータ装置を示すブロック図であり、同図において、図１および図４と同一若しくは同等のものには同一の符号を付してその説明を省略し、つぎに、相違する構成についてのみ説明する。すなわち、このコンピュータ装置では、図１の第１の参考例の構成における各信号レベル確定回路１２，１３と各平衡信号変換回路１４，１７との各々の間に、パラレル・シリアル変換回路３８，３９を介挿接続した構成になっている。
【００３７】
この実施の形態のコンピュータ装置では、演算ユニット１とＦＤＤユニット４との間の伝送信号である信号レベルの確定していない複数の単方向ＴＴＬレベル信号が、第１および第２の参考例と同様に、演算ユニット１側及びＦＤＤユニット４側にそれぞれ設けられた信号レベル確定回路１２，１３によってハイレベル側信号レベルの確定した複数の単方向ＴＴＬレベル信号に変換される。この複数の単方向ＴＴＬレベル信号が、それぞれパラレル・シリアル変換回路３８，３９によって、予め設定された伝送速度・信号処理手順に基づき１個の単方向信号に変換されるとともに、この１個の単方向信号が、それぞれ平衡信号変換回路１４，１７により１個の平衡信号に変換され、平衡信号伝送路１８により相互に信号伝送できるように構成されている。
【００３８】
図８は同上装置におけるパラレル・シリアル変換回路３８，３９の構成を示す回路図である。同図において、パラレル・シリアル変換回路３８，３９は、ｎ個またはｍ個のパラレル信号を１個のシリアル信号に変換するＬＳＩからなるパラレル・シリアル信号変換回路部３８ａ，３９ａと、１個のシリアル信号をｎ個またはｍ個のパラレル信号に復元するＬＳＩからなるシリアル・パラレル信号復元回路部３８ｂ，３９ｂと、パラレル・シリアル信号変換回路部３８ａ，３９ａおよびシリアル・パラレル信号復元回路部３８ｂ，３９ｂにそれぞれシリアル信号変換用の基本クロックを供給する基準クロック発生回路３８ｃ，３９ｃとを備えて構成されている。
【００３９】
パラレル・シリアル信号変換回路部３８ａ，３９ａは、予め設定された伝送速度と信号処理手順により、基準クロック発生回路３８ｃ、３９ｃから供給される基準クロックに基づいてパラレル信号をシリアル信号に信号変換する。一方、シリアル・パラレル信号復元回路部３８ｂ，３９ｂは、予め設定された伝送速度と信号処理手順により、基準クロック発生回路３８ｃ、３９ｃから供給される基準クロックに基づいてシリアル信号からパラレル信号への信号復元を実施する。
【００４０】
この実施の形態のコンピュータ装置では、演算ユニット１側から出力されたｎ個の単方向ＴＴＬレベル信号が、演算ユニット１側のパラレル・シリアル変換回路３８内のパラレル・シリアル信号変換回路部３８ａにより、予め設定された信号処理手順にしたがって予め設定された伝送速度の１個のシリアル信号に変換され、この１個のシリアル信号が１個の平衡信号に変換されたのちに伝送路１８に伝送される。受信側では、１個の平衡信号が１個の単方向信号に変換されたのちに、ＦＤＤユニット４側のパラレル・シリアル変換回路３９内のシリアル・パラレル信号復元回路部３９ｂにより、予め設定された伝送速度・信号処理手順からｎ個のパラレル信号に復元されたのちに、ＦＤＤユニット４に入力される。
【００４１】
逆に、ＦＤＤユニット４側から出力されたｍ個の単方向ＴＴＬレベル信号は、ＦＤＤユニット４側のパラレル・シリアル変換回路３９内のパラレル・シリアル信号変換回路部３９ａによって、予め設定された信号処理手順にしたがって予め設定された伝送速度の１個のシリアル信号に変換され、この１個のシリアル信号が１個の平衡信号に変換されたのちに平衡信号伝送路１８に伝送される。受信側では、１個の平衡信号が１個の単方向信号に変換されたのちに、演算ユニット１側のパラレル・シリアル変換回路３８内のシリアル・パラレル信号復元回路部３８ｂにより、予め設定された伝送速度・信号処理手順からｍ個のパラレル信号に復元されたのちに、演算ユニット１に入力される。
【００４２】
この実施の形態のコンピュータ装置では、演算ユニット１とＦＤＤユニット４とを遠隔地点に設置して、その間の伝送路を長くしても、第１の参考例と同様に、ノイズに強い平衡信号伝送により周辺機器からのノイズによる影響を受け難く、また、逆に周辺機器に電磁障害を与えることもないので、ノイズ発生源の多い生産設備の制御用の装置として設置する場合にも誤動作のないコンピュータ制御を実施することができる。それに加えて、パラレル信号から変換したシリアル信号をさらに平衡信号に変換して伝送するので、平衡信号変換回路１４と伝送路１８とを一組の送信信号と受信信号で構成することができ、安価なコンピュータ制御を実施することができる。
【００４３】
なお、第２の実施の形態のコンピュータ装置において、平衡信号変換回路１４，１７を第１の参考例と同様にＲＳ４２２信号変換回路で構成することができ、それにより、平衡型デジタル電圧インターフェースとして規格化されたＲＳ４２２により平衡信号伝送を実施することができる。また、平衡信号変換回路１４，１７に代えて第２の参考例の光信号変換回路２４，２４を、平衡信号伝送路１８に代えて第２の参考例の光ケーブル２７をそれぞれ用いた構成とすることもできる。
【００４６】
【発明の効果】
以上のように、第１の発明に係る請求項１のコンピュータ装置では、フォトカプラ絶縁回路により単方向信号を一旦光信号に変化したのちに電気信号に戻して、絶縁信号ケーブルにより伝送する構成としたので、光信号に変換することによる伝送路の電気的絶縁によりノイズを除去できる効果に加えて、絶縁信号ケーブルによるカレントループ伝送によって線路抵抗やノイズの影響を受け難い利点がある。
【００４７】
請求項２のコンピュータ装置によれば、伝送路を一組の送信信号伝送回路と受信信号伝送回路で構成することができ、安価なコンピュータ制御を実施することができる。
【図面の簡単な説明】
【図１】  本発明に関連する第１の参考例に係るコンピュータ装置を示すブロック構成図。
【図２】  同上装置における信号レベル確定回路の内部構成を示すブロック図。
【図３】  同上装置における平衡信号変換回路および平衡信号伝送路の内部構成を示すブロック図。
【図４】  本発明に関連する第２の参考例に係るコンピュータ装置を示すブロック構成図。
【図５】  同上装置における光信号変換回路の内部構成を示すブロック図。
【図６】  本発明の第１の実施の形態に係るコンピュータ装置を示す要部のブロック図。
【図７】  本発明の第２の実施の形態に係るコンピュータ装置を示すブロック構成図。
【図８】  同上装置におけるパラレル・シリアル変換回路の内部構成を示すブロック図。
【図９】  従来のコンピュータ装置のブロック構成図。
【符号の説明】
１  演算ユニット
２  入力ユニット
３  表示ユニット
４  フロッピーディスクユニット
１２，１３  信号レベル確定回路
１４，１７  平衡信号変換回路
１８  平衡信号伝送路
２３  ツイストペア線
２４  光信号変換回路
２７  光ケーブル
３０，３１  フォトカプラ絶縁回路
３８，３９  パラレル・シリアル変換回路
【図１】
0003881088.tif 000002
【図２】
0003881088.tif 000003
【図３】
0003881088.tif 000004
【図４】
0003881088.tif 000005
【図５】
0003881088.tif 000006
【図６】
0003881088.tif 000007
【図７】
0003881088.tif 000008
【図８】
0003881088.tif 000009
【図９】
0003881088.tif 000010